(57)【要約】【課題】省エネに関する情報を提供することによって省エネ意識を高めるとともに省エネが期待できるエネルギーマネジメントシステムを提供する。【解決手段】センタ装置ＳＶは、情報データベースを備え、この情報データベースには省エネに関わる情報として、省エネ豆知識が逐次保存されている。センタ装置ＳＶは、表示制御装置ＣＶやパソコンＰＣや携帯端末ＰＴなどの端末装置から省エネ豆知識を表示する表示画面の要求が送信されると、省エネ豆知識を表示させる画面の画像データを作成するとともに、この画像データを表示画面の要求元である端末装置に対して送信し、端末装置において、送信された画像データを表示させることで省エネ豆知識を取得することができる。【選択図】図１
2009130987.tif 000002
【特許請求の範囲】
【請求項１】
各住戸に設けられた宅内設備と宅外の端末装置とがネットワークを介してサーバに接続され、前記宅内設備は、主幹ブレーカの二次側から分岐した分岐電路にそれぞれ設けられた複数の分岐ブレーカに流れる電流を、分岐ブレーカ毎に計測する電流計測部を具備した電流計測ユニットと、前記電流計測部の計測結果に基づいて分岐ブレーカ毎の使用電力量を演算する使用電力量演算部、および、当該使用電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する端末装置と、ネットワークを介して前記サーバに接続するためのネットワーク接続部とを備え、前記サーバは、省エネに関わる情報を含むメッセージを前記端末装置に送信して当該端末装置に前記メッセージを表示させるプッシュ型情報配信機能を有することを特徴とするエネルギーマネジメントシステム。
【請求項２】
各住戸に設けられた宅内設備と宅外の端末装置とがネットワークを介してサーバに接続され、前記宅内設備は、主幹ブレーカの二次側から分岐した分岐電路にそれぞれ設けられた複数の分岐ブレーカに流れる電流を、分岐ブレーカ毎に計測する電流計測部を具備した電流計測ユニットと、前記電流計測部の計測結果に基づいて分岐ブレーカ毎の使用電力量を演算する使用電力量演算部、および、当該使用電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する端末装置と、ネットワークを介して前記サーバに接続するためのネットワーク接続部とを備え、前記端末装置が省エネに関わる情報を含むメッセージを要求するメッセージ要求信号を前記サーバに送信すると、前記サーバは、前記端末装置に前記メッセージを送信し、前記端末装置は、受信した前記メッセージを表示することを特徴とするエネルギーマネジメントシステム。
【発明の詳細な説明】
【技術分野】
【０００１】
本発明は、エネルギーマネジメントシステムに関するものである。
【背景技術】
【０００２】
従来より、家庭の分電盤内の主幹電力量を計測し、その計測結果をウェブ画面上でモニタリングできる電力監視システムが提供されており、さらにこのシステムでは他の家庭の消費電力量と比較できるようになっている（例えば特許文献１参照）。
【特許文献１】特許第３５５１３０２号公報（段落［００２７］、及び、第３図）
【発明の開示】
【発明が解決しようとする課題】
【０００３】
上述の特許文献１に示した電力監視システムは、主幹電力量の測定結果をウェブ画面上でモニタリングすることによって省エネ意識を高めようとするものではあるが、省エネの方法についての具体的な情報を提供できるものではなく、十分な省エネが図れない場合があった。
【０００４】
本発明は上記問題点に鑑みて為されたものであり、その目的とするところは、省エネに関する情報を提供することによって省エネ意識を高めるとともに省エネが期待できるエネルギーマネジメントシステムを提供することにある。
【課題を解決するための手段】
【０００５】
請求項１の発明は、各住戸に設けられた宅内設備と宅外の端末装置とがネットワークを介してサーバに接続され、宅内設備は、主幹ブレーカの二次側から分岐した分岐電路にそれぞれ設けられた複数の分岐ブレーカに流れる電流を、分岐ブレーカ毎に計測する電流計測部を具備した電流計測ユニットと、電流計測部の計測結果に基づいて分岐ブレーカ毎の使用電力量を演算する使用電力量演算部、および、当該使用電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する端末装置と、ネットワークを介してサーバに接続するためのネットワーク接続部とを備え、サーバは、省エネに関わる情報を含むメッセージを端末装置に送信して当該端末装置にメッセージを表示させるプッシュ型情報配信機能を有することを特徴とする。
【０００６】
請求項２の発明は、各住戸に設けられた宅内設備と宅外の端末装置とがネットワークを介してサーバに接続され、宅内設備は、主幹ブレーカの二次側から分岐した分岐電路にそれぞれ設けられた複数の分岐ブレーカに流れる電流を、分岐ブレーカ毎に計測する電流計測部を具備した電流計測ユニットと、電流計測部の計測結果に基づいて分岐ブレーカ毎の使用電力量を演算する使用電力量演算部、および、当該使用電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する端末装置と、ネットワークを介してサーバに接続するためのネットワーク接続部とを備え、端末装置が省エネに関わる情報を含むメッセージを要求するメッセージ要求信号をサーバに送信すると、サーバは、端末装置にメッセージを送信し、端末装置は、受信したメッセージを表示することを特徴とする。
【発明の効果】
【０００７】
請求項１の発明によれば、サーバが、情報を自動的に配信するプッシュ型情報配信機能を有しているので、使用者がサーバにアクセスすることなく省エネに関わる情報を含むメッセージを取得することができ、またこのメッセージにより使用者の省エネ意識が高まり、メッセージに記載された内容を継続的に実行することで十分な省エネを図ることができるという効果がある。
【０００８】
請求項２の発明によれば、使用者が端末装置からサーバにメッセージ要求信号を送信すると、サーバはメッセージ要求信号を送信した端末装置に対して省エネに関わる情報を含むメッセージを送信するので、使用者が見たいときにメッセージを取得することができ、またこのメッセージにより使用者の省エネ意識が高まり、メッセージに記載された内容を継続的に実行することで十分な省エネを図ることができるという効果がある。
【発明を実施するための最良の形態】
【０００９】
本発明の実施形態を図面に基づいて説明する。
【００１０】
本実施形態のエネルギーマネジメントシステムは、図１に示すように各住戸に設置される宅内設備Ａと宅外の携帯端末ＰＴとをインターネットＮＴ（ネットワーク）を介してセンタ装置ＳＶ（サーバ）に接続して構成され、宅内設備Ａは、宅内に設置される統合管理盤１と、商用電源を供給する電路Ｌｐおよび情報伝送路Ｌｊを介して統合管理盤１に接続されて、統合管理盤１が電力供給、制御並びに監視を行う照明器具、空調機器（エアコン）、床暖房器具、ＩＨ機器などの宅内に設置された複数の電気機器Ｘｍｎ（添え字のｍ、ｎは１以上の整数を示す。ｍ、ｎ＝１，２，…、以下同様。）と、統合管理盤１にＬＡＮケーブルＬｉを介して接続される複数（図では２つ）の端末装置（パーソナル・コンピュータＰＣ並びに表示制御装置ＣＶ等のウェブブラウザ機能を有する端末装置）とを備え、統合管理盤１と端末装置とが汎用の通信プロトコル（ＴＣＰ／ＩＰ、ＨＴＴＰなど）を利用した宅内ネットワークを構成している。
【００１１】
この宅内ネットワークは、１００ＢＡＳＥ−ＴＸ（ＩＥＥＥ  ８０２．３ｕ）規格に準拠したローカルエリアネットワーク（ＬＡＮ）であって、統合管理盤１内においてレイヤ２スイッチやレイヤ３スイッチに相当する後述の統合装置ＴＭに、ネットワーク端末に相当する端末装置（パーソナル・コンピュータＰＣ並びに表示制御装置ＣＶ）などがスター配線で接続されている。また、統合装置ＴＭは、インターネットＮＴに接続するための回線の種類（電話回線、ＣＡＴＶ回線、光ファイバ回線など）に応じたインターネット接続機能を有しており、この統合装置ＴＭを介して宅内ネットワークが外部ネットワークたるインターネットＮＴに接続される。なお、宅内ネットワークを構成する端末装置は、図３に示すようにウェブブラウザ機能を有するネットテレビＴＶであってもよく、このネットテレビＴＶはマルチメディアコンセントＭＣを介して統合管理盤１に接続される。
【００１２】
さらに、この宅内ネットワークには、宅外に設置されたセンタ装置ＳＶがインターネットＮＴを介して接続されており、後述するようにインターネットＮＴに接続可能なノート型のパーソナル・コンピュータ、携帯電話機、ＰＤＡ（Ｐｅｒｓｏｎａｌ  Ｄｉｇｉｔａｌ  Ａｓｓｉｓｔａｎｃｅ）などからなるウェブブラウザ機能を有する携帯型の端末装置（携帯端末ＰＴ）とセンタ装置ＳＶとの間でインターネットＮＴを介したデータ通信を行うことにより、例えば、携帯端末ＰＴを使って外出先から宅内電気機器の制御や監視を行うことができる。
【００１３】
センタ装置ＳＶは、ネットワーク機能を有する汎用のコンピュータ装置で構成されており、携帯端末ＰＴからインターネットＮＴを介して送信される統合管理盤１宛てのメッセージや、統合管理盤１から宅内ネットワークに属さない端末装置（例えば、携帯端末ＰＴなど）に宛てて送信されるメッセージを中継する機能を有している。また、センタ装置ＳＶは情報データベースＤＢを備え、この情報データベースＤＢには、例えば省エネに関わる情報として、後述する省エネ豆知識（以下、豆知識という。）が逐次（例えば、１ヶ月分をまとめて）保存されており、センタ装置ＳＶは保存した省エネ豆知識を端末装置ＴＵ（表示制御装置ＣＶやパソコンＰＣや携帯端末ＰＴなど）に向けて配信できるように構成されている。ここにおいて、上述のようなインターネット接続機能を有する携帯端末ＰＴやセンタ装置ＳＶは従来周知であるから、詳細な構成については説明を省略する。
【００１４】
統合管理盤１は、図１および図２に示すように、外部から住宅に供給される商用電源を一次側に受ける主幹ブレーカＢｓと、主幹ブレーカＢｓの二次側から分岐した電路にそれぞれ介挿される複数（図１では３個のみ表示）の分岐ブレーカＢｍｎ（ｍ＝１，２，…、ｎ＝１，２，…）と、これら主幹ブレーカＢｓおよび分岐ブレーカＢｍｎに流れる電流を計測するための電流計測ユニット２と、電流計測ユニット２から入力される計測データに基づいて使用電力量を演算するエネルギーマネジメントユニット３と、上記の統合装置ＴＭと、電気機器コントローラＣ１とを備えている。そして、各分岐ブレーカＢｍｎを介して分岐された各電路Ｌｐｍｎ（ｍ＝１，２，…、ｎ＝１，２，…）は統合管理盤１外に導出され、各電路Ｌｐｍｎに接続される電気機器Ｘｍｎ（ｍ＝１，２，…、ｎ＝１，２，…）に対して動作電源を供給している。
【００１５】
電流計測ユニット２は、主幹ブレーカＢｓを介して供給されている主幹電力量を定期的に計測する主幹電力計測部２ａと、各分岐ブレーカＢｍｎを流れる分岐電流の値を分岐ブレーカ毎に定期的に計測する分岐電流計測部ＣＴｍｎ（ｍ＝１，２，…、ｎ＝１，２，…）と、主幹ブレーカＢｓの主幹電力および分岐ブレーカＢｍｎ毎の分岐電流の計測データを収集し、収集した計測データを検出情報としてエネルギーマネジメントユニット３に出力する制御部２ｂとを備えている。
【００１６】
主幹電力計測部２ａは、主幹ブレーカＢｓを流れる主幹電流を定期的に計測する主幹電流計測部ＣＴｓと、主幹電流の計測値に基づいて電力量を演算する電力演算部ＥＰＯとを備えており、主幹電流計測部ＣＴｓで計測した主幹電流の計測値を電力演算部ＥＰＯで電力量に変換することによって主幹ブレーカＢｓを介して供給される主幹電力量が演算される。
【００１７】
ここで、分岐ブレーカＢｍｎ毎に設けられた分岐電流計測部ＣＴｍｎ（ｍ＝１，２，…、ｎ＝１，２，…）は、各電路Ｌｐｍｎ（ｍ＝１，２，…、ｎ＝１，２，…）に流れる分岐電流を検出する電流センサ（図示せず）と、電流センサの検出出力に基づいて検出データを生成するセンサユニット（図示せず）とを備えており、さらにセンサユニットでは生成した検出データを伝送用信号に変調して制御部２ｂに出力している。
【００１８】
そして、制御部２ｂでは、センサユニットから入力された伝送用信号を復調して検出データを取り出し、取得した検出データを送信部２ｃから順次エネルギーマネジメントユニット３に送信している。
【００１９】
次に、エネルギーマネジメントユニット３は、上記送信部２ｃより受信した分岐ブレーカＢｍｎ毎の分岐電流の計測データに基づいて、各分岐ブレーカＢｍｎを介して供給されている分岐電力量を演算する演算部３ａと、演算部３ａから入力された主幹電力量および分岐電力量に基づいて、主幹電力量を表す画面データや各分岐電力量を表す画面データなどの表示制御装置ＣＶに表示させる画面データを生成する制御部３ｂとを備えている。ここに、演算部３ａにより使用電力量演算部が構成されている。
【００２０】
上記の制御部３ｂは、電力量検知を行う分岐ブレーカＢｍｎのデータ（分岐ブレーカの名称：分岐１、分岐２、．．．など）を予め格納しており、主幹電力量および分岐電路毎の分岐電力量など各種の電気使用量を表示するための画面データとしてウェブコンテンツ（ウェブページ）を作成し、端末装置ＴＵ（表示制御装置ＣＶやパソコンＰＣや携帯端末ＰＴなど）からの要求に応じて所望のウェブコンテンツを端末装置ＴＵに提供（配信）する機能（ウェブサーバ機能）を有しており、ＬＡＮケーブルを介して統合管理盤１内の統合装置ＴＭや電気機器コントローラＣ１などが接続されている。ここにおいて、制御部３ｂには、分岐ブレーカＢｍｎのデータとして、分岐ブレーカＢｍｎに接続される電気機器の名称やその使用場所の情報が格納されており、空調機器（エアコン）や床暖房設備などの単独回路のために個別に設けた分岐ブレーカの場合には、対応する電気機器の名称が格納される。また、単独回路ではなく不特定の電気機器が接続される可能性のある分岐ブレーカの場合には、各分岐ブレーカに接続される可能性がある電気機器の名称（例えば、照明器具、テレビ、給湯器など）や主たる使用場所が格納されており、ユーザが各分岐ブレーカに接続して使用する可能性が高い電気機器（例えば、ホットカーペットやアイロンなど）の名称およびその使用場所を設定しておくのが好ましい。
【００２１】
また、制御部３ｂは、各分岐ブレーカＢｍｎに接続されている電気機器Ｘｍｎの情報（例えば、使用用途や設置場所や停止時分岐電流など）が予め登録されるとともに、演算部３ａから入力される主幹電力量および分岐ブレーカＢｍｎ毎の分岐電力量（使用電力量）を時系列で逐次記憶するデータ記憶部３ｄと、端末装置ＴＵ（表示制御装置ＣＶやパソコンＰＣや携帯端末ＰＴなど）から統合装置ＴＭを介して入力される各種の要求信号に応じて、主幹電力量および分岐電路毎の分岐電力量など各種の電気使用量を表示するための画像データを生成し、当該画像データを端末装置ＴＵに送信（配信）する画像データ生成部３ｃとを備えている。
【００２２】
一方、宅内にはリビング、寝室、子供部屋等の複数の部屋Ｒｍ（ｍ＝１，２，…）が設けられており、各部屋Ｒｍにはそれぞれ電気機器Ｘｍｎ（ｍ＝１，２，…、ｎ＝１，２，…）や電気機器が接続されるコンセントなどが設けられている。本実施形態では、図１および図３に示すように、分岐ブレーカＢ１ｎ（ｎ＝１，２，…）には、部屋Ｒ１（例えば、リビング）に設けたエアコンＸ１１やコンセント１０（エアコンＸ１１以外の電気機器であって、部屋Ｒ１内で使用される電気機器が接続されるコンセント）が接続され、対応する電路Ｌｐ１ｎ（ｎ＝１，２，…）を介して電力供給している。また、分岐ブレーカＢ２０には、部屋Ｒ２（例えば、子供部屋）に設けたエアコンＸ２１が接続され、電路Ｌｐ２０を介して電力供給している。さらに、分岐ブレーカＢ３１には、部屋Ｒ３（例えば、寝室）に設けたエアコンＸ３１が接続され、電路Ｌｐ３１を介して電力供給している。また、分岐ブレーカＢ４ｎ（ｎ＝１，２，…）には、部屋Ｒ４（例えば、台所）に設けたエアコンＸ４１や冷蔵庫用のコンセント８が接続され、対応する電路Ｌｐ４ｎ（ｎ＝１，２，…）を介して電力供給している。さらに、分岐ブレーカＢ５１には、部屋Ｒ５（例えば、和室）に設けたコンセント１１（部屋Ｒ５内で使用される電気機器が接続されるコンセント）が接続され、電路Ｌｐ５１を介して電力供給している。また、分岐ブレーカＢｍｎ（ｍ＝６，７，…、ｎ＝１，２，…）には、給湯器１４や床暖房１３や洗濯機用のコンセント９がそれぞれ接続され、対応する電路Ｌｐｍｎ（ｍ＝６，７，…、ｎ＝１，２，…）を介して電力供給している。
【００２３】
次に、統合装置ＴＭは、図１に示すようにＬＡＮケーブル（エンハンスト・カテゴリ５若しくはカテゴリ６のＬＡＮケーブル）を介して、盤内のエネルギーマネジメントユニット３の制御部３ｂや電気機器コントローラＣ１、盤外のパソコンＰＣ、表示制御装置ＣＶが接続されるとともに、インターネットＮＴを通じてセンタ装置ＳＶや、携帯電話機などの携帯端末ＰＴ、または他の端末装置に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００２４】
また、上述の端末装置ＴＵ（表示制御装置ＣＶやパソコンＰＣや携帯端末ＰＴなど）は、図５のブロック図に示すように統合装置ＴＭとの間でデータの授受を行う送受信部１５と、液晶ディスプレイからなる画像表示部１６と、操作信号を入力するための入力操作部１８と、送受信部１５、画像表示部１６および入力操作部１８などの全体の制御を行う制御部１７とを備えている。ここにおいて、表示制御装置ＣＶの画像表示部１６はタッチパネルからなり、このタッチパネルにより入力操作部１８が構成され、パソコンＰＣや携帯端末ＰＴなどはキーボードやテンキーにより入力操作部１８が構成されている。
【００２５】
また、図１における電気機器コントローラＣ１は、統合装置ＴＭとのインタフェース機能と、日本電機工業会（ＪＥＭＡ）の統一規格に適合した電気機器Ｘｍｎとのインタフェース機能をそれぞれ有している。この電気機器コントローラＣ１は、統合装置ＴＭを介して端末装置ＴＵから制御要求のメッセージを受け取ったときに、情報伝送路Ｌｊを介して各電気機器Ｘｍｎ（例えば、エアコンや床暖房設備など）を個別に制御して運転と停止を切り換える機能（制御機能）や、統合装置ＴＭを介して端末装置ＴＵから監視要求のメッセージを受け取ったときに、情報伝送路Ｌｊを介して各電気機器Ｘｍｎの動作状態（運転［点灯］又は停止［消灯］）を個別に取得するとともに、制御要求や監視要求に対する応答（各電気機器Ｘｍｎの動作状態）のメッセージを要求メッセージの送信元である端末装置ＴＵに向けて統合装置ＴＭを介して送信させる機能（監視機能）を有する。また、電気機器コントローラＣ１は、自己の配下にある電気機器Ｘｍｎの機器名称情報、部屋Ｒｍの名称情報等を予め格納しており、電気機器Ｘｍｎの名称並びに動作状態を文字や記号で表示するためのウェブコンテンツ（ウェブページ）を作成し、端末装置ＴＵからの要求に応じて当該ウェブコンテンツを端末装置ＴＵに提供（配信）する機能（ウェブサーバ機能）も有している。
【００２６】
ここで、図４は、統合管理盤１内における主幹ブレーカＢｓ、分岐ブレーカＢｍｎ（ｍ＝１，２，…、ｎ＝１，２，…）、電流計測ユニット２を構成する制御ユニット（制御部）２ｂ、エネルギーマネジメントユニット３、統合装置ＴＭ等の配置を示している。主幹ブレーカＢｓの右側には、複数の分岐ブレーカＢｍｎが上下２列に配列されるとともに横並びに配置されており、これらの分岐ブレーカＢｍｎの右側には制御ユニット２ｂが配置されている。また、主幹ブレーカＢｓの下部には上述した主幹電力計測部２ａを構成する主幹電力計測センサＳ１が配置され、この主幹電力計測センサＳ１は通信ケーブルＬｉ２（例えば、ＲＳ４８５など）を介して制御ユニット２ｂに接続されており、主幹電力計測センサＳ１で計測した主幹ブレーカＢｓの主幹電力量が通信ケーブルＬｉ２を介して制御ユニット２ｂに入力されるようになっている。
【００２７】
さらに、制御ユニット２ｂの右側には、エネルギーマネジメントユニット３が配置されており、エネルギーマネジメントユニット３の右側には統合装置ＴＭが配置されている。エネルギーマネジメントユニット３は、ＬＡＮケーブルＬｉを介して統合装置ＴＭに接続されるとともに、通信ケーブルＬｉ１（例えば、ＲＳ４８５など）を介して制御ユニット２ｂに接続されており、制御ユニット２ｂの送信部２ｃから送信された主幹ブレーカＢｓの主幹電力および分岐ブレーカＢｍｎ毎の分岐電流の計測データが通信ケーブルＬｉ１を介してエネルギーマネジメントユニット３に入力されるようになっている。
【００２８】
また、本実施形態では、図４に示すように主幹ブレーカＢｓを介して供給される商用電源とは別に、太陽光を利用した太陽電池４から電力供給できるようになっている。この太陽電池４は、多数の太陽電池セル（太陽光からのエネルギーを光電変換し、電気エネルギーに変換する素子）を配列してパネル状としたものであって、直流電源として使用される。太陽電池４で生成された直流電力は、パワーコンディショナ５により交流電力に変換され、連系ブレーカ６と一次分岐ブレーカ７を介して商用電源と連系して負荷に供給される。
【００２９】
ここで、図６は本実施形態の表示制御装置ＣＶを立ち上げた際、或いは、表示制御装置ＣＶを途中画面からトップ画面に切り替えた状態で表示画面１６ａに表示される画面の一例を示し、表示画面１６ａの上側には画面の名称（本画面では「省エネモニター」）を示すタイトルバーＴＢが表示され、その右側には電気消費量の表示画面に切り替えるための電気消費量表示ボタンＢ１や、電気機器の使用状態を表示する画面に切り替えるための電気チェックボタンＢ２や、電気使用量の比較結果を表示する画面に切り替えるための比較結果表示ボタンＢ３が表示されている。また、表示画面１６ａの下側には、当日の電気使用量を表示する表示部Ｗ１が配置されるとともに、次ページに移行させるための次ページボタンＢ４や、メニュー画面に移行させるためのメニューボタンＢ５が表示されている。
【００３０】
そして、図６の初期画面において使用者がメニューボタンＢ５を選択すると、表示制御装置ＣＶの制御部１７は、送受信部１５を制御してメニュー画面の表示要求を統合装置ＴＭを介してエネルギーマネジメントユニット３に送信させる。エネルギーマネジメントユニット３では、表示制御装置ＣＶから送信されたメニュー画面の表示要求を受信すると、メニュー画面を表示させるためのウェブページを表示要求の送信元の表示制御装置ＣＶに返送しており、表示制御装置ＣＶにおいて、送受信部１５が受信したウェブページが画像表示部１６の表示画面１６ａに表示される。図７（ａ）（ｂ）は、表示制御装置ＣＶの画像表示部１６の表示画面１６ａに表示されるメニュー画面の一例を示している。メニュー画面の上側には画面の名称（例えば「メニュー（１／２）」「メニュー（２／２）」）を表示するタイトルバーＴＢ１，ＴＢ２が、画面中央には所望のメニューを選択するためのメニュー選択ボタン（図７（ａ）の画面では選択ボタンＢ７〜Ｂ１０、図７（ｂ）の画面では選択ボタンＢ１１、Ｂ１２）が、画面の下側には前ページや次ページに移行させるための前ページボタンＢ１３および次ページボタンＢ１４がそれぞれ表示されている。なお、各々の選択ボタンＢ７〜Ｂ１２には対応するメニューの内容を示す文字（「センターサーバ」「省エネモニター」「リモコン」「ネット状態」など）が表示されており、図７（ａ）の画面で次ページボタンＢ１４を選択すると、上述と同様の処理を経て画像表示部１６の表示画面１６ａが同図（ｂ）のメニュー画面に切り替えられ、さらに同図（ｂ）の画面で前ページボタンＢ１３を選択すると、画像表示部１６の表示画面１６ａが同図（ａ）のメニュー画面に切り替えられるようになっている。
【００３１】
本実施形態のエネルギーマネジメントシステムでは、表示制御装置ＣＶにおいて、画像表示部１６の表示画面１６ａに表示された図７（ａ）のメニュー画面でセンタ装置ＳＶが提供する画面に切り替えるための選択ボタンＢ７を選択すると、表示制御装置ＣＶの制御部１７が送受信部１５から統合装置ＴＭを介してセンタ装置ＳＶにメニュー画面の表示要求を送信させ、センタ装置ＳＶが統合装置ＴＭを介してメニュー画面の表示要求を受信すると、センタ装置ＳＶは、メニュー画面を表示させるためのウェブページを統合装置ＴＭを介して表示要求の送信元の表示制御装置ＣＶに向けて送信し、表示制御装置ＣＶでは送受信部１５が受信したウェブページが画像表示部１６の表示画面１６ａに表示される。図８（ａ）は、表示制御装置ＣＶの画像表示部１６の表示画面１６ａに表示されるメニュー画面の一例を示している。メニュー画面の上側には画面の名称（本画面では「メニュー」）を示すタイトルバーＴＢ３が、画面中央には所望のメニューを選択するための選択ボタンＢ１５〜Ｂ２３が、画面の下側には登録サイトのトップページに移行するための移行ボタンＢ２４やホームポータルへ移行するための移行ボタンＢ２５がそれぞれ表示されている。なお、各々の選択ボタンＢ１５〜Ｂ２３には対応するメニューの内容を示す文字（「カメラ」「機器コントロール」「エコ」「豆知識」など）が表示されており、また豆知識を表示する画面に切り替えるための選択ボタンＢ２２には、未読のメッセージがある場合に、未読のメッセージがあることを通知するメッセージＭ３が表示されるようになっている。
【００３２】
ここで、図８（ａ）の画面で豆知識を表示する画面に切り替えるための選択ボタンＢ２２を選択すると、上述と同様の処理を経て画面表示部１６の表示画面１６ａが図８（ｂ）に示す豆知識一覧を表示する画面に切り替えられる。この画面の上側には画面の名称（本画面では「豆知識一覧」）を示すタイトルバーＴＢ４が、画面中央には豆知識が日付順に表示されたリストＬ１が、画面の下側には上述したメニュー画面（図８（ａ））に移行するためのメニューボタンＢ２８がそれぞれ表示されている。また、リストＬ１の右側には、各豆知識の詳細情報を表示する表示画面に移行するための詳細ボタンＢ２６と、リストＬ１に表示された豆知識を全て既読にするための既読ボタンＢ２７が表示されている。
【００３３】
そして、図８（ｂ）の画面において見たい豆知識を選択するとともに、詳細ボタン２７を選択すると、上述と同様の処理を経て画面表示部１６の表示画面１６ａが図８（ｃ）に示す豆知識詳細画面に切り替えられる。なお、図８（ｃ）の画面では、画面の上側に画面の名称（本画面では「豆知識詳細」）を示すタイトルバーＴＢ５が、画面中央には図８（ｂ）の画面においてリストＬ１から選択した豆知識に関する詳細なメッセージＭ１が、画面の下側には図８（ｂ）の画面に移行するための戻りボタンＢ２９がそれぞれ表示され、メッセージＭ１として、例えば図９（ａ）（ｂ）に示すようなメッセージＭ４、Ｍ５が表示される。なお、端末装置がパソコンＰＣやネットテレビＴＶの場合も、同様の手続処理を行うことで豆知識を表示画面１６ａに表示させることができる。
【００３４】
次に、図１０は携帯電話機などの携帯端末ＰＴにおける上記豆知識の表示画面の一例を示しており、以下にその表示方法について説明する。まず、携帯端末ＰＴからインターネットＮＴを介してセンタ装置ＳＶにアクセスすると、制御部１７が送受信部１５からインターネットＮＴを介してセンタ装置ＳＶにメニュー画面（図８（ａ）に相当する画面）の表示要求を送信させ、センタ装置ＳＶがインターネットＮＴを介してメニュー画面の表示要求を受信すると、センタ装置ＳＶは、メニュー画面を表示させるためのウェブページを、インターネットＮＴを介して表示要求の送信元の携帯端末ＰＴに向けて送信し、携帯端末ＰＴでは送受信部１５が受信したウェブページが画像表示部１６の表示画面１６ａに表示される。その後、携帯端末ＰＴにおいて、センタ装置ＳＶから送信されたメニュー画面で豆知識一覧を表示する画面（図８（ｂ）に相当する画面）に切り替えるための選択ボタンを選択すると、上述と同様の処理を経て豆知識一覧画面が画像表示部１６の表示画面１６ａに表示される。さらに、この豆知識一覧画面で見たい豆知識を選択するとともに詳細ボタンを選択すると、上述と同様の処理を経て図１０に示す詳細画面が画像表示部１６の表示画面１６ａに表示される。なお、図１０の画面では、画面の上側に画面の名称（本画面では「豆知識一覧」）を表示するタイトルバーＴＢ６が、画面中央には選択した豆知識に関する詳細なメッセージＭ２が、画面の下側には前の画面に移行するための戻りボタンＢ３０やメニュー画面に移行するためのメニューボタンＢ３１がそれぞれ表示されている。
【００３５】
本実施形態のエネルギーマネジメントシステムでは、端末装置ＴＵ（表示制御装置ＣＶやパソコンＰＣや携帯端末ＰＴなど）からセンタ装置ＳＶに豆知識を表示する画面の表示要求を送信すると、センタ装置ＳＶは表示要求を送信した端末装置ＴＵに対して豆知識を含むウェブページを送信するので、使用者は見たいときに豆知識を取得することができ、またこの豆知識により使用者の省エネ意識が高まり、豆知識に記載された内容を継続的に実行することで十分な省エネを図ることができる。なお、新着の豆知識がある場合には、センタ装置ＳＶが端末装置ＴＵの初期画面（図６や図８（ａ）に示す画面）などに新着の豆知識があることを示すメッセージを表示してもよく、この場合使用者は、新たに追加された豆知識があることを知ることができる。
【００３６】
また、本実施形態では、端末装置ＴＵ（表示制御装置ＣＶやパソコンＰＣや携帯端末ＰＴなど）からの表示要求に応じて、センタ装置ＳＶが豆知識を表示する画面の画像データを配信するようにしているが、豆知識を表示する画面の画像データを自動的に配信し、端末装置ＴＵを起動して上記画像を表示させるプッシュ型情報配信機能をセンタ装置ＳＶに持たせてもよく、例えばセンタ装置ＳＶが予め登録された端末装置ＴＵに対して定期的（例えば、１週間に一度）に上記画像を表示させるように構成してもよい。この場合、使用者がセンタ装置ＳＶにアクセスすることなく豆知識を取得することができ、またこの豆知識により使用者の省エネ意識が高まり、豆知識に記載された内容を継続的に実行することで十分な省エネを図ることができる。さらに、豆知識の提供方法として、センタ装置ＳＶから各端末装置ＴＵに宛てたＥメールなどであってもよい。
【００３７】
なお、本実施形態では、省エネに関わる情報として、豆知識を用いているが、省エネに関わる情報は本実施形態に限定されるものではなく、例えば計測した使用電力量に基づいたアドバイスなどであってもよい。
【００３８】
また、本実施形態では、エネルギーマネジメントユニット３や統合装置ＴＭを電流計測ユニット２とともに１つの統合管理盤１内に配置した場合を例に説明したが、エネルギーマネジメントユニット３や統合装置ＴＭを電流計測ユニット２とは別の管理盤として設け、電流計測ユニット２とエネルギーマネジメントユニット３との間を通信ケーブルにより接続するように構成してもよい。
【図面の簡単な説明】
【００３９】
【図１】本実施形態のエネルギーマネジメントシステムの各構成を示すブロック図である。
【図２】同上の各構成を示す別のブロック図である。
【図３】同上の構成を示すシステム図である。
【図４】同上の統合管理盤内の配置図である。
【図５】同上の端末装置のブロック図である。
【図６】同上の端末装置の表示画面の例図である。
【図７】（ａ）、（ｂ）は同上の端末装置の表示画面の例図である。
【図８】（ａ）〜（ｃ）は同上の端末装置の表示画面の例図である。
【図９】（ａ）、（ｂ）は同上の端末装置の表示画面の例図である。
【図１０】同上の別の端末装置の表示画面の例図である。
【符号の説明】
【００４０】
２  電流計測ユニット
３  エネルギーマネジメントユニット
３ａ  演算部（使用電力量演算部）
３ｂ  制御部
Ａ  宅内設備
Ｂｍｎ  分岐ブレーカ
Ｂｓ  主幹ブレーカ
ＣＴｍｎ  分岐電流計測部
ＣＶ  表示制御装置（端末装置）
Ｌｐｍｎ  電路（分岐電路）
ＮＴ  インターネット（ネットワーク）
ＰＣ  パーソナル・コンピュータ（端末装置）
ＰＴ  携帯端末（宅外の端末装置）
ＳＶ  センタ装置（サーバ）
ＴＭ  統合装置（ネットワーク接続部）
ＴＶ  ネットテレビ（端末装置）
【図１】
2009130987.tif 000003
【図２】
2009130987.tif 000004
【図３】
2009130987.tif 000005
【図４】
2009130987.tif 000006
【図５】
2009130987.tif 000007
【図６】
2009130987.tif 000008
【図７】
2009130987.tif 000009
【図８】
2009130987.tif 000010
【図９】
2009130987.tif 000011
【図１０】
2009130987.tif 000012